(57)【特許請求の範囲】
【請求項１】
生体試料を測定するためのセンサが挿入されるセンサ挿入口を有する本体ケースと、
前記本体ケース内の前記センサ挿入口の奥側に設けられた接続端子と、
前記本体ケース内の前記センサ挿入口と前記接続端子の間に設けられた、前記センサ挿入口を開閉するシャッターと、
前記接続端子に装着された前記センサを前記センサ挿入口から前記本体ケース外に排出するセンサ排出機構と、
を備え、
前記シャッターは、
前記センサが挿入されていない状態において、前記本体ケースと当接することで前記センサ挿入口を塞ぐように前記センサ挿入口に対向して配置された開閉板を有し、
前記開閉板は、前記センサ挿入口を閉じる際に、前記センサ挿入口を塞ぐように前記センサ挿入口に対向して配置される開閉部を有し、
前記センサが挿入されている状態において、前記開閉部は前記センサの下面に当接し、
前記センサ排出機構によるセンサ排出時に、前記センサが前記接続端子から離れた後、前記センサ排出機構によって前記開閉部による前記センサへの押圧が解除され、さらに前方に前記センサ排出機構を移動させることにより、前記センサが排出される、生体試料測定装置。
【請求項２】
前記シャッターは、
前記センサ挿入口の両側に配置された軸部と、前記両側の軸部の間に設けられた前記開閉板と、前記開閉板もしくは前記軸部に設けられ、前記センサ排出機構によって開放駆動される際に操作される被操作部と、を持ち、前記センサ排出機構によるセンサ排出時に、前記センサ排出機構の操作により前記軸部を中心に回動する回動部と、
前記開閉板によって前記センサ挿入口を閉じる方向に前記回動部を付勢するバネと、
を有する、請求項１に記載の生体試料測定装置。
【請求項３】
前記センサ挿入口は、前記本体ケースに横長に形成されており、
前記開閉板の横方向の寸法は、前記横長のセンサ挿入口の横方向の寸法よりも大きい、請求項２に記載の生体試料測定装置。
【請求項４】
前記被操作部は、前記開閉板の、前記軸部に対して前記開閉部の反対側に設けられている、請求項２または３に記載の生体試料測定装置。
【請求項５】
前記開閉板の開閉部は、前記センサ挿入口の奥側に向けて傾斜する傾斜面を有している、請求項４に記載の生体試料測定装置。
【請求項６】
前記バネは、コイルバネであり、前記コイルバネは、前記シャッターの前記軸部の外周に装着されている、請求項２から５のいずれか一つに記載の生体試料測定装置。
【請求項７】
前記開閉板と前記軸部は、合成樹脂により形成されており、前記コイルバネは、金属により形成されている、請求項６に記載の生体試料測定装置。
【請求項８】
前記コイルバネの表面は、金属面が表出されている、請求項７に記載の生体試料測定装置。
【請求項９】
前記軸部のコイルバネ装着部の外側に、前記シャッターの前記軸部を支持する軸支部を設けた請求項６から８のいずれか一つに記載の生体試料測定装置。
【請求項１０】
前記本体ケース内に設けられ、前記シャッターを開閉させるシャッター駆動機構と、
前記シャッター駆動機構を駆動させる操作体が、前記本体ケース外から挿入される操作体挿入部と、
を更に備え、
前記操作体挿入部は、前記本体ケースの表面に形成された開口部を有し、
前記開口部は、前記操作体挿入部に前記操作体を挿入した際に、前記操作体の前記本体ケース外に配置される部分によって覆われる、請求項１に記載の生体試料測定装置。
【請求項１１】
前記操作体挿入部は、前記操作体として用いられる外部電送ピンが挿入される円筒状のジャックである、請求項１０に記載の生体試料測定装置。
【請求項１２】
前記シャッター駆動機構は、前記ジャックの奥側に配置された、前記操作体によって操作される被操作部を有する、請求項１１に記載の生体試料測定装置。
【請求項１３】
前記シャッター駆動機構は、前記センサ挿入口を開放する方向へ前記シャッターを付勢する付勢体を有する、請求項１０から１２のいずれか一つに記載の生体試料測定装置。
【請求項１４】
前記付勢体は、コイルバネである、請求項１３に記載の生体試料測定装置。
【請求項１５】
前記コイルバネは、前記操作体による前記シャッター駆動機構の操作時に伸長する、請求項１４に記載の生体試料測定装置。
【請求項１６】
前記シャッター駆動機構は、前記シャッターの開閉方向のストロークを決めるために前記シャッターを押さえる駆動部を有し、
前記駆動部の先端側は、前記本体ケース後方から前記本体ケース前方へ向けて、前記本体ケース下方から前記本体ケース上方に傾斜した形状に形成されている、請求項１３から請求項１５のいずれか一つに記載の生体試料測定装置。
【発明の詳細な説明】
【技術分野】
【０００１】
本発明は、たとえば血糖値のような生体情報を測定する測定装置に関するものである。
【背景技術】
【０００２】
従来のこの種の生体試料測定装置の構成は、以下のようになっていた。
すなわち、従来の生体試料測定装置は、センサ挿入口を有する本体ケースと、この本体ケース内の前記センサ挿入口の奥側に設けた接続端子と、を備えた構成となっていた。
また、前記センサ挿入口の本体ケース外部分には、このセンサ挿入口部分からの埃などの侵入を防ぐシャッターが設けられていた（たとえば下記特許文献１）。
【先行技術文献】
【特許文献】
【０００３】
【特許文献１】特表２００９−５０１５８４号公報
【発明の概要】
【発明が解決しようとする課題】
【０００４】
しかしながら、前記従来例においては、センサ挿入口からの埃などの侵入を防止するためにシャッターが本体ケースの外側に設けられているので、センサ挿入口にセンサを挿入する時に、本体ケース外に設けられたシャッターに手が触れ、センサを挿入する際の操作性が悪く、結論として、使い勝手の悪いものであった。
そこで本発明は、上記従来の課題を考慮して、センサを挿入する際の操作性が向上し、使い勝手が良い生体試料測定装置を提供することを目的とするものである。
【課題を解決するための手段】
【０００５】
そして、この目的を達成するために、本発明に係る生体試料測定装置は、生体試料を測定するためのセンサが挿入されるセンサ挿入口を有する本体ケースと、前記本体ケース内の前記センサ挿入口の奥側に設けられた接続端子と、前記本体ケース内の前記センサ挿入口と前記接続端子の間に設けられた、前記センサ挿入口を開閉するシャッターとを備えている。【０００６】
これにより、センサを挿入する際の操作性を向上することが可能となり、使い勝手が良い生体試料測定装置を提供することが出来る。すなわち、本体ケース内に開閉自在なシャッターが設けられているので、使用時において不用意にこのシャッターに手が触れることはなく、その結果として、使い勝手を良くすることが出来る。特に、このセンサ挿入口にセンサを挿入する時に、シャッターに手が触れることがなく、センサ挿入操作性を向上することが出来る。【０００７】
又、本発明にかかる生体試料測定装置は、前記接続端子に装着された前記センサを前記センサ挿入口から前記本体ケース外に排出するセンサ排出機構を更に備え、前記シャッターは、前記センサ排出機構によるセンサ排出時に、前記センサ排出機構によって開放駆動される。
これにより、前記シャッターは、センサ排出機構によって開放駆動される構成とされているので、センサの排出時には、このシャッターを開放し、センサをセンサ挿入部から本体ケース外に排出することが出来るようになり、この点からも使い勝手を良くすることが出来る。【０００８】
又、本発明にかかる生体試料測定装置は、前記本体ケース内に設けられ、前記シャッターを開閉させるシャッター駆動機構と、前記シャッター駆動機構を駆動させる操作体が、前記本体ケース外から挿入される操作体挿入部と、を更に備え、前記操作体挿入部は、前記本体ケースの表面に形成された開口部を有し、前記開口部は、前記操作体挿入部に前記操作体を挿入した際に、前記操作体の前記本体ケース外に配置される部分によって覆われる。【０００９】
これにより、前記操作体挿入部の、本体ケースの表面に形成された開口部は、前記操作体挿入部に前記操作体を挿入した際に、前記操作体の前記本体ケース外に配置される部分によって覆われる構成としたものであるので、前記センサ挿入口だけでなく、操作体挿入部も覆われた状態となり、この結果、本体ケースを、消毒液や水等で洗浄を行う時に、その消毒液や水等が本体ケース内に浸入することを抑制することが出来る。
【発明の効果】
【００１０】
本発明によれば、センサを挿入する際の操作性を向上することが可能となり、使い勝手が良い生体試料測定装置を提供することが出来る。
【図面の簡単な説明】
【００１１】
【図１】本発明の実施の形態１における生体試料測定装置の斜視図
【図２】本発明の実施の形態１における生体試料測定装置の上ケースの下面部分を示す斜視図
【図３】（ａ）本発明の実施の形態１における生体試料測定装置の分解斜視図、（ｂ）本発明の実施の形態１における生体試料測定装置のバネの斜視図
【図４】本発明の実施の形態１における生体試料測定装置の分解斜視図
【図５】（ａ）本発明の実施の形態１における生体試料測定装置の分解斜視図、（ｂ）本発明の実施の形態１における生体試料測定装置を前方から見た拡大透視斜視図
【図６】（ａ）本発明の実施の形態１における生体試料測定装置のシャッターの回動部を示す斜視図、（ｂ）シャッターを示す斜視図、（ｃ）シャッターの側面図、（ｄ）図６（ｂ）のＸＸ´間の断面図
【図７】本発明の実施の形態１における生体試料測定装置の要部の断面図
【図８】本発明の実施の形態１における生体試料測定装置の要部の一部を切り欠いた斜視図
【図９】本発明の実施の形態１における生体試料測定装置のセンサを挿入した状態を示す斜視図
【図１０】本発明の実施の形態１における生体試料測定装置の断面図
【図１１】本発明の実施の形態１における生体試料測定装置の一部を切り欠いた斜視図
【図１２】本発明の実施の形態１における生体試料測定装置の要部の断面図
【図１３】本発明の実施の形態１における生体試料測定装置の排出操作部の配置の一例を示す図
【図１４】（ａ）〜（ｃ）本発明の実施の形態１における生体試料測定装置のセンサ挿入時のセンサ挿入口近傍の状態を模式的に示した拡大断面図
【図１５】（ａ）〜（ｃ）本発明の実施の形態１における生体試料測定装置のセンサ排出時のセンサ挿入口近傍の状態を模式的に示した拡大断面図
【図１６】本発明の実施の形態１における生体試料測定装置の要部の拡大断面図
【図１７】本発明の実施の形態１における生体試料測定装置の要部の拡大斜視図
【図１８】本発明の実施の形態１における生体試料測定装置の要部の拡大平面図
【図１９】本発明の実施の形態１における生体試料測定装置の要部の拡大平面図
【図２０】本発明の実施の形態２における生体試料測定装置の斜視図
【図２１】本発明の実施の形態２における生体試料測定装置の透視斜視図
【図２２】本発明の実施の形態２における生体試料測定装置の拡大透視斜視図
【図２３】本発明の実施の形態２における生体試料測定装置の要部の拡大断面図
【図２４】本発明の実施の形態２における生体試料測定装置の拡大断面図
【図２５】本発明の実施の形態２における生体試料測定装置の透視平面図
【図２６】本発明の実施の形態２における生体試料測定装置の透視拡大平面図
【図２７】本発明の実施の形態２における生体試料測定装置の拡大断面図
【発明を実施するための形態】
【００１２】
以下、本発明にかかる実施の形態における生体試料測定装置について図面を参照しながら詳細に説明する。
（実施の形態１）
[生体試料測定装置の構成]
図１において、１は、直方体形状の本体ケースである。この本体ケース１は、図２に示すように、下面側が開口した上ケース２と上面側が開口した下ケース３を、互いの開口部同士を合わせて結合することにより、構成されている。
【００１３】
また、上ケース２の上面側には、例えば血糖値（生体情報の一例）を表示するための表示部４が設けられている。さらに、この上ケース２の先端側には、横長形状のセンサ挿入口５が設けられている。そして、図７に示すように、センサ挿入口５の奥側には、センサが挿入される空間であるセンサ挿入部５０が形成されている。尚、本実施の形態１では、上ケース２の上面側を上方（上側）とし、下ケース３の下面側を下方（下側）とする。又、センサ挿入口５が設けられている側を本体ケース１の前方（前側）とし、その反対側を後方（後側）とする。更に、センサが挿入される方向と直交する方向であって、表示部４が設けられている上面と平行な方向を横方向とする。
【００１４】
また、本体ケース１の表面には、センサ排出機構の一部を構成する排出操作部が配置されている。
図１３には、排出操作部の具体的な構成の一例として排出操作部６が示されている。
すなわち、下ケース３の下面側に、センサ挿入口５に向かって前後方向に摺動自在に構成された排出操作部６が設けられている。なお、この排出操作部６は上ケース２に設けられても良い。
【００１５】
＜シャッター７の構成＞
さて、本実施の形態においては、図２及び図３に示すように、センサ挿入口５の奥側にシャッター７が開閉自在に設けられている。このシャッター７は、図３〜図６に示すように、センサ１９の挿入及び排出の際に回動する回動部７０と、回動部７０に取り付けられるバネ１１によって構成されている。そして、回動部７０は、センサ挿入口５の両側に配置した軸部８及び軸部９と、これら両側の軸部８、９の間に設けられた横長形状の開閉板１０と、センサ排出機構によって操作される被操作部１２を有している。この開閉板１０には、図７に示すように、センサ挿入口５を閉じた状態において、センサ挿入口５を塞ぐようにセンサ挿入口５に対向して配置される開閉部１３が形成されている。尚、バネ１１は、開閉板１０を、センサ挿入口５を閉じる方向に付勢するように、回動部７０の軸部８及び軸部９に取り付けられている。
【００１６】
開閉板１０の開閉部１３には、図６（ｄ）および図７に示すように、センサ挿入口５の奥側に向けて傾斜する傾斜面１３ａが形成されている。この傾斜面１３ａは、センサ挿入口５を閉じた状態において、奥側に向かうに従って上ケース２の上面に近づくように傾斜している。
そして、被操作部１２は、これら図６（ｄ）および図７に示すように、開閉板１０の開閉部１３とは、軸部８、９を結ぶ線（回動部７０の軸）を間にして、その反対側に設けられている。
【００１７】
つまり、本実施の形態においては、図７のように、センサ挿入口５の奥側にシャッター７が開閉自在に設けられ、このシャッター７の開閉部１３は、バネ１１によってセンサ挿入口５を閉じる方向に付勢された状態となっている。
以下、このシャッター７部分について、さらに詳細に説明を行う。
まず、図３〜図５（ａ）に示すように、上ケース２のセンサ挿入口５の奥側の両側には、シャッター７の軸部８が装着される軸支部１４と、軸部９が装着される軸支部１５が設けられている。これらの軸支部１４、１５にシャッター７の軸部８、９を軸支させる前に、軸部８、９には、図４及び図６に示すように、バネ１１が装着される。
【００１８】
＜バネ１１の構成＞
このバネ１１は、図３（ｂ）に示すように、軸部９に係合するように湾曲して、その一端側に形成された係合部１１ａと、回動部７０の横方向に沿うように上ケース２側に形成された直線部分１１ｂと、他端側、すなわち直線部分１１ｂを挟んで係合部１１ａの反対側に、コイルバネ状に形成されたコイルバネ部１１ｃとを有している。そして、バネ１１は、係合部１１ａが軸部９に係合し、コイルバネ部１１ｃの中心部を軸部８が貫通した状態で、回動部７０に装着される。詳細に説明すると、係合部１１ａと直線部分１１ｂの間には、直線部分１１ｂから上ケース２の反対側（下方）に向かって垂直に形成された直線部分１１ｆが形成され、コイルバネ部１１ｃと直線部分１１ｂの間には、直線部分１１ｂから上ケース２の反対側（下方）に向かって形成された直線部分１１ｄが形成されている。又、バネ１１のコイルバネ部１１ｃが形成されている側の先端には、後述する係合部１８に係合される被係合部１１ｅが形成されている。
【００１９】
すなわち、バネ１１は、図３に示すように、その一端側が軸部９に係合させられ、また開閉板１０の上ケース２側の直線部分ののちに存在する他端側がコイルバネ状に形成され、その中心部を軸部８が貫通した状態で、回動部７０に装着されている。
【００２０】
＜シャッター７の装着＞
以上の構成において、シャッター７を軸支部１４、１５に装着する時には、まず、図４に示すように、回動部７０にバネ１１が装着される。続いて、軸部８を軸支部１４に軸支させるに際し、図５（ｂ）に示すように、バネ１１の直線部１１ｂの他端側（軸部８側）が、軸支部１４の上ケース２側に設けられた突起１６、１７間を通され、突起１７の上ケース２側に引っ掛けた状態とされ、続いて、軸部８が軸支部１４に軸支される。ここで、軸支部１４は、軸部８のコイルバネ部１１ｃが装着されている部分の外側で、軸部８を支持する。この軸部８のコイルバネ部１１ｃが装着される部分が、図３において８ａで示されており、コイルバネ装着部の一例に対応する。
尚、図５（ｂ）は、図５（ａ）を前側から見た透視図であり、突起１６、１７とバネ１１の状態を説明するために回動部７０を省略した模式図である。
【００２１】
ここで、突起１６、１７について、説明する。
まず、突起１６は、上ケース２及び下ケース３の縦方向（本体ケース１の厚み方向）に設けられたものであり、図５（ｂ）に示すように、バネ１１の直線部１１ｂと直線部１１ｄが当接することで、シャッター７はセンサ挿入口５を閉じる方向に付勢されている。また、このようなシャッター７に対する付勢を行わせるために、図６（ｂ）に示すように、バネ１１の他端部、すなわち被係合部１１ｅは、係合部１８に係合されている。
【００２２】
さらに、図３及び図５（ｂ）で示すように、突起１７は、センサ挿入口５の上方であって、センサ挿入口５の横方向に沿うように内側に突出して形成されており、バネ１１の直線部分１１ｂと干渉することによって、バネ１１が上ケース２とは反対側（下方）に抜け出るのを止めるものである。
最後に、シャッター７の軸部９を軸支部１５に軸支させることで、図５（ａ）に示すように、シャッター７は、センサ挿入口５の奥側に開閉自在に装着された状態となる。この状態を断面で示したものが図７である。図７に示すように、センサ挿入口５を形成する本体ケース１の内側の開口部には、上ケース２側が後方、下ケース３側が前方となる傾斜が設けられている。
【００２３】
すなわち、センサ挿入口５の傾斜とは、センサ挿入口５を形成する上方の縁５ａの位置が、下方の縁５ｂの位置よりも奥側に位置していることである。図１４（ａ）の模式図に、センサ挿入口５の上方の縁５ａ及び下方の縁５ｂが示されている。
このように傾斜したセンサ挿入口５をシャッター７の開閉部１３が、図７及び図８に示すように、開閉自在に覆っている。
【００２４】
このため、図７に示すように、開閉部１３も、上ケース２側が後方、下ケース３側が前方となる傾斜面１３ａが、設けられた形状となっている。つまり、センサ挿入口５は、シャッター７の開閉部１３で閉じられた状態となっているので、本実施の形態の生体試料測定装置は、センサ挿入口５からの埃や液体の不用意な浸入を抑制する事が出来る構成となっている。
【００２５】
[生体試料測定装置の動作]
さて、このような構成において、図９と図１１は、センサ挿入口５からセンサ１９を挿入することで、例えば血糖値を測定しようとしている状態を示している。
＜センサ挿入時の動作＞
この時、まず、センサ１９を、その後端部に設けた電極部側をセンサ挿入口５から本体ケース１内に押込むと、センサ挿入口５を覆っていたシャッター７の開閉部１３が、その傾斜方向にセンサ１９によって押されて開くこととなる。詳細には、図１４（ａ）及び図１４（ｂ）に示すように、センサ１９をセンサ挿入口５へ挿入する（矢印Ａ参照）と、センサ１９の後端部が、開閉部１３の傾斜面１３ａに当接する。そして、傾斜面１３ａの傾斜に沿うようにセンサ１９が押し込まれると、図１４（ｃ）に示すように、開閉部１３は回動（矢印Ｂ参照）し、センサ挿入口５が開く。ここで、図１４（ａ）〜（ｃ）に、開閉部１３を有している回動部７０の回動軸が７０ａで示されている。
【００２６】
その結果、センサ１９の電極部は、本体ケース１内のセンサ挿入口５の奥側に設けた接続端子２０に電気的に接続された状態となる。尚、接続端子２０は弾性部材であり、その弾性力によって、接続端子２０はセンサ１９の電極部と電気的に接続されている。
この状態において、センサ１９の先端側に設けた点着部（図示せず）に血液を点着すれば、血糖値が測定され、その血糖値は表示部４に表示される。
【００２７】
＜センサ排出時の動作＞
そして、この血糖値の測定が終了すると、センサ１９の排出が行われる。このセンサ１９の排出は、図１３に示す排出操作部６を前方（センサ挿入口５側、矢印Ｈ参照）に押すことによって行われる。この排出操作部６は、図示しない連結部によってレバー２１（図１１参照）と接続されている。このため、排出操作部６を前方に押せば、本体ケース１内において、それに連動するレバー２１、２１ａが、図１１から図１０及び図１２に示すように、前方に動き、このレバー２１、２１ａの動作によってセンサ１９の排出動作が行われる。尚、図１０から図１２に示すように、レバー２１は、レバー２１ａを挟むように形成されており、レバー２１を前方に動かすと、レバー２１ａも同時に前方に移動することになる。
【００２８】
具体的には、レバー２１ａの操作部２２は、センサ１９の後端側に当接しているので、排出操作部６によって、レバー２１ａの操作部２２を前方に移動させれば、センサ１９は、センサ挿入口５から本体ケース１外へと、図１０及び図１２に示すように、移動される。又、図１７及び図１８に示すように、センサ１９が挿入される空間であるセンサ挿入部５０の下面には、前後方向にスリット５１が形成されている。そして、レバー２１ａには、レバー２１ａからスリット５１を通ってセンサ挿入空間５０に突出した操作部２２（図１１参照）が設けられている。
【００２９】
本実施の形態においては、この図１０及び図１２の状態からセンサ１９を本体ケース１外へと排出するに先立ち、シャッター７の開放動作が行われる。つまり、センサ１９がセンサ挿入口５から本体ケース１内に挿入された状態（図１１参照）から、センサ１９が前方に移動された状態（図１０及び図１２参照）においては、センサ１９の下面側にシャッター７の開閉部１３が当接した状態となっている。
【００３０】
しかも、この時、開閉部１３は、図１０、図１２、及び図１４（ｃ）に示すように、その上方側がセンサ１９に当接し、下方側が上方側よりも前方側に位置する傾斜状態となっている。このため、レバー２１ａの操作部２２を前方に移動させることで、センサ１９をセンサ挿入口５から本体ケース１外に排出させる前に、センサ１９から開閉部１３を離間させて、シャッター７の開閉部１３を開放させる必要がある。つまり、シャッター７を開放しなければ、センサ１９の排出動作が阻害されるおそれがあるので、この排出時には、シャッター７を開放する動作が行われる。
【００３１】
そこで、本実施の形態においては、レバー２１のセンサ挿入口５側に操作部２３が設けられている。この操作部２３により、図１２に示すように、シャッター７の被操作部１２を前方側に押せば、シャッター７の開閉部１３は、反時計方向に回動し、これによりシャッター７が開放される。
このため、レバー２１ａの操作部２２で、センサ１９の後端を前方に押すことにより、センサ１９をセンサ挿入口５から本体ケース１外に容易に排出することが出来る。
【００３２】
詳細に説明すると、図１５（ａ）に示すように、回動部７０はバネ１１（図４参照）によってセンサ挿入口５を閉じる方向（矢印Ｃ方向）に付勢されているため、センサ１９は、開閉部１３によって下方から押圧されている。これにより、センサ挿入口５からセンサ１９が抜け落ちることが抑制されている。尚、図１５（ａ）において、開閉部１３のセンサ１９に当接している部分が、当接部１３ｂとして示されている。一方、センサ１９を排出する際に、排出操作部６を前方に移動させると、レバー２１ａの操作部２３によってセンサ１９が前方に移動する。そして、このようにセンサ１９を前方に移動させていくと、図１５（ｂ）に示すように、操作部２３が、シャッター７の被操作部１２に当接する。更に、排出操作部６を前方に移動させると、図１５（ｃ）に示すように、回動部７０の被操作部１２が、レバー２１の操作部２３により前方に押されるため、回動部７０が矢印Ｂ方向に回動し、開閉部１３によるセンサ１９の押圧が解除される。更に、排出操作部６を前方に移動させることにより、センサ１９を排出することが出来る。
【００３３】
尚、センサ１９の押圧が解除されるタイミングは、センサ１９が接続端子２０から離れた後の方が好ましい。センサ１９が接続端子２０から離れる際に、接続端子２０による弾性力によってセンサ１９が本体ケース１から飛び出す場合があるが、開閉部１３によってセンサ１９が押圧されていると、このようなセンサの飛び出しを抑制することが出来るためである。
【００３４】
[他の特徴点]
次に、本実施の形態における他の特徴点について説明する。
本実施の形態においては、図７及び図８において上述したように、センサ挿入口５をシャッター７の開閉部１３が、開閉自在に覆っている。つまり、センサ挿入口５は、シャッター７の開閉部１３で閉じられた状態となっているので、本実施の形態の生体試料測定装置は、センサ挿入口５からの埃や液体の不用意な浸入を抑制する事が出来る構成となっている。
【００３５】
このシャッター７によってセンサ挿入口５が閉じられた状態において、図１６及び図１７に示すように、センサ挿入口５の奥側に、シャッター７の開閉板１０と上ケース２が当接、または近接することによって、閉成部Ｄ、Ｅが形成される。
これらの閉成部Ｄ、Ｅは、図１８からも示されるように、開閉板１０の長手方向にわたって形成される。この横長形状の開閉板１０は、横長形状のセンサ挿入口５よりも横方向の寸法が大きくなるように形成されている。尚、図１８に、開閉板１０の横方向の長さがＬ１で示され、センサ挿入口５の横方向の長さがＬ２で示されている。
【００３６】
また、この横長形状の開閉板１０の横方向の寸法Ｌ１は、図１８からも示されるように、接続端子２０の横方向の寸法よりも大きくなるように形成されている。
なお、本実施の形態においては、接続端子２０は、図１８に示すように、３本の接続端子２０をセンサ挿入口５の横長方向に並べて配置した構成としているので、接続端子２０の横方向の寸法とは、左右の接続端子２０間の寸法を示すものである。この接続端子２０の横方向の寸法が、図１８にＬ３として示されている。
【００３７】
つまり、本実施の形態におけるシャッター７の開閉板１０の横方向の寸法Ｌ１は、横長形状のセンサ挿入口５の横方向の寸法Ｌ２よりも大きいので、センサ挿入口５からの液体の流入を抑制する事が出来る。
また、このようにシャッター７によって、センサ挿入口５からの液体の流入を抑制したとしても、図１６及び図１７に示したように、シャッター７の開閉板１０は、センサ挿入口５の奥側において、上ケース２に当接、または近接する閉成部Ｄ、Ｅを形成するので、この部分に形成されている毛細管部分には、センサ挿入口５から流入した液体の一部が付着する場合がある。
【００３８】
この閉成部Ｄ、Ｅに付着した液体は、毛細管を伝って横長形状の開閉板１０の横方向の両側に広がることになる。ここで、開閉板１０は、図１８において上述したように、その横方向の寸法Ｌ１が接続端子２０の横方向の寸法Ｌ３よりも大きくなるように形成されているので、閉成部Ｄ、Ｅに付着し、開閉板１０の横方向の両側に広がった液体は、接続端子２０の外方にまで導かれることになる。
【００３９】
つまり、閉成部Ｄ、Ｅに付着した液体が、接続端子２０部分に滴り落ちる事を抑制できる。その結果として、接続端子２０が汚れることが出来るだけ低減でき、測定精度に対する信頼性の低下を抑制することが出来る。
また、本実施の形態においては、次の点からも測定精度に対する信頼性低下を抑制する事が出来る。
【００４０】
すなわち、センサ挿入口５から流入した液体の一部は、上述のように、開閉板１０の閉成部Ｄ、Ｅを伝って外方（図１９の矢印Ｆ、Ｇ方向参照）に広がるが、このように外方に広がった液体は、次に、図１８及び図１９に示すように、バネ１１を伝ってさらにその外方へと流出させる事が出来る。この点を具体的に説明すると、バネ１１には、コイルバネ部１１ｃが形成されており、このコイルバネ部１１ｃは、シャッター７の軸部８の外周に装着されている。
【００４１】
つまり、閉成部Ｄ、Ｅを伝って、外方に広がった液体は、次に、コイルバネの線間に形成される毛細管を伝って、さらにその外方に広がる。軸部８のバネ１１が装着されている部分の外方は、軸支部１４によって軸支されており、この構成により、軸支部１４と軸部８の間で毛細管が形成される。
そして、軸支部１４と軸部８の間の部分の毛細管を伝って、さらに外方へと液体は移動する。この結果として、閉成部Ｄ、Ｅに付着した液体が、接続端子２０部分に滴り落ち、接続端子２０が汚れることが抑制される。これにより、測定精度に対する信頼性が低下することも抑制される。
【００４２】
なお、本実施の形態においては、開閉板１０と軸部８、９は合成樹脂により形成されているが、コイルバネ部１１ｃを有しているバネ１１は、金属により形成されている。
そして、このコイルバネ部１１ｃを有しているバネ１１の表面は、金属面を表出させた構成としている。
つまり、コイルバネ部１１ｃを有しているバネ１１部分の毛細管作用を強く発揮させるため、本実施の形態では、樹脂よりも濡れ性の高い金属でバネ１１を形成し、この金属面を表出させている。このように構成することで、バネ１１部分における毛細管作用が強く発揮される。
【００４３】
[作用効果]
以上のように、センサ１９を挿入する際の操作性が向上し、使い勝手が良い生体試料測定装置を提供することが出来る。
すなわち、本体ケース１内に開閉自在なシャッター７が設けられているので、使用時において不用意にシャッター７に手が触れることを抑制でき、その結果として使い勝手が向上する。
【００４４】
センサ排出機構によって開放駆動される構成としたので、センサ１９の排出時には、このシャッター７を開放し、センサ１９をセンサ挿入口５から本体ケース１の外に排出することが出来、この点からも使い勝手が向上する。尚、このセンサ排出機構の一例は、本実施の形態の排出操作部６、レバー２１、２１ａ、及び排出操作部６とレバー２１を連結する連結部等に対応する。
【００４５】
開閉板１０は、バネ１１によってセンサ挿入口５を閉じる方向に付勢されているため、センサ１９を抜いた後、自動的にセンサ挿入口５が閉じた状態となり、埃などの進入を防ぐことが出来る。このように、ユーザーが意識的にシャッターを閉じる必要がないため、使い勝手を向上させることが出来る。
センサ１９は、挿入された状態では開閉部１３によって上方に押圧されているため、センサ１９が本体ケース１から不用意に抜け落ちることを抑制することが出来る。
【００４６】
センサ１９を本体ケース１から排出する動作において、センサ１９が接続端子２０から外れる際にも、開閉部１３によってセンサ１９が上方に押圧されているため、接続端子２０の弾性力によりセンサ１９がセンサ挿入口５から急に飛び出したりすることを抑制することが出来る。
更に、センサ１９を本体ケース１から排出する際には、センサ排出機構によって上記押圧が解除されるため、スムーズにセンサ１９を本体ケース１から排出することが出来る。
【００４７】
開閉部１３は、センサ挿入口５の奥側に向けて傾斜した傾斜面１３ａを有していることにより、センサ１９を挿入する際に、センサ１９に当接してスムーズに回動してセンサ挿入口５を開放することが出来る。特に、本実施の形態では、傾斜面１３ａは、回動軸７０ａ方向から見て、その外周側の端が内周側の端よりも、センサ挿入口５を開放する際の回動部７０の回転方向側に位置するように傾斜されている。
【００４８】
開閉板１０の横方向の寸法を、センサ挿入口５の横方向の寸法よりも長くすることにより、毛細管現象により開閉板１０の左右方向に伝わった液体が、接続端子２０に落下することを抑制することが出来る。
コイルバネ部１１ｃが軸部８の外周に装着されていることにより、閉成部Ｄ，Ｅを伝って外方に広がった液体が、コイルバネ部１１ｃの線間に形成される毛細管を伝って、更に外方に広がることになるため、接続端子２０への液体の落下をより抑制することが出来る。
バネ１１を金属で形成することにより、毛細管作用を強く発揮させることが出来、更に、金属面を表出させることにより、より強く毛細管作用を発揮させることが出来る。
【００４９】
（実施の形態２）
[生体試料測定装置の構成]
図２０において、１０１は、直方体形状の本体ケースを示している。この本体ケース１０１の前面側にはセンサ１０２を挿入するためのセンサ挿入口１０３が設けられている。また、この本体ケース１０１の上面には、測定した血糖値（生体情報の一例）を表示する表示部１０４が設けられている。
【００５０】
尚、本明細書の本体ケース１０１では、本体ケース１０１の表示部１０４が設けられている面側を上方（上側）とし、表示部１０４の反対面側を下方（下側）とし、センサ挿入口１０３が設けられている側を前方（前側）とし、その反対側を後方（後側）とする。また、センサ１０２が挿入される方向と直交する方向であって、表示部１０４が設けられている上面と平行な方向を横方向とする。
【００５１】
さらに、本体ケース１０１の側面には、操作体挿入部の一例として円筒状のジャック１０５が設けられている。
本体ケース１０１内のセンサ挿入口１０３の奥側には、図２２、及び図２３に示すように、接続端子１０６が設けられ、この接続端子１０６には、制御部（図示せず）が接続されている。
また、図２１、及び図２２に示すように、本体ケース１０１内のセンサ挿入口１０３と接続端子１０６間には、センサ挿入口１０３を開閉するシャッター１０７が設けられている。
【００５２】
＜シャッター１０７の構成＞
このシャッター１０７は、図２２、図２３及び図２６に示すように、一枚の板状の部材を折り曲げた形状であり、側面視において略Ｌ字形状に形成されている。
【００５３】
本体ケース１０１の前方から見た場合、センサ挿入口１０３と同じ形状の凹部１０７ａが設けられている。図２２に示すように、センサ挿入口１０３にセンサ１０２を挿入する時には、センサ挿入口１０３と凹部１０７ａが合致し、その結果として、センサ１０２を接続端子１０６に向けて挿入することが出来る。尚、センサ１０２の一端側には、電極部１０２ａが設けられている。このセンサ１０２を電極部１０２ａ側から本体ケース１０１内に挿入すると、電極部１０２ａが接続端子１０６によって上方から押さえられる。このように電極部１０２ａが接続端子１０６によって上方から押さえられることにより、電極部１０２ａと接続端子１０６が電気的に接続されると共に、センサ１０２が本体ケース１０１に保持される。
【００５４】
＜シャッター１０７及びシャッター駆動機構１０８の構成＞
図２１から図２６に示すように、本体ケース１０１内には、シャッター１０７を開閉させるシャッター駆動機構１０８が設けられている。
具体的には、シャッター１０７は、図２２に示すように、板バネ１０９によって常時上方に付勢されており、その状態において、シャッター１０７の後端には、シャッター駆動機構１０８の駆動部１１０が当接している。駆動部１１０の先端部の下側には、後方から前方へ向けて、下方から上方に傾斜した傾斜部１１１が設けられており、この傾斜部１１１の上端が通常使用状態においては、シャッター１０７の後端に当接した状態となっている。
【００５５】
更に詳細に説明すると、図２３に示すように、側面視Ｌ字形状のシャッター１０７は、センサ１０２の挿入方向と実質上平行に配置され、後述するバネ１０９に下方から支持されている支持部１２２と、支持部１２２の前端から下方に向かって配置された開閉部１２３とを有している。この支持部１２２に駆動部１１０が当接している。又、開閉部１２３の下端部に、上述した凹部１０７ａが形成されている。
【００５６】
図２３に示すように、駆動部１１０の先側の傾斜部１１１の上端には、前方に向かって突出した突出部１２０が形成されている。通常使用状態では、この突出部１２０の下面１２０ａとシャッター１０７の支持部１２２の上面１２２ａが当接することにより、シャッター１０７の板バネ１０９による上方への移動が規制されている。また、シャッター１０７の支持部１２２の後端部の上側には、後方から前方へ向けて、下方から上方に傾斜した傾斜部１２１が設けられており、この傾斜部１２１に、上方から傾斜部１１１が当接している。尚、通常使用状態とは、センサ１０２を挿入して生体情報の一例である血糖の測定を行っている状態をいう。
【００５７】
つまり、この状態においては、図２２及び図２３に示すように、シャッター１０７は、板バネ１０９によって上方に付勢され、その結果として、シャッター１０７の凹部１０７ａとセンサ挿入口１０３が合致し、これにより、センサ１０２を接続端子１０６にスムーズに挿入することが出来る。
また、図２１、図２５、及び図２６に示すように、駆動部１１０の後端側には、軸１１２を介して二つのレバー１１３、１１４が連結されている。これら二つのレバー１１３、１１４は、軸１１２を中心にして回動可能に構成されている。この内、レバー１１３の後端には、連結部材１２４を介してコイルバネ１１５が連結されている。このコイルバネ１１５は、シャッター１０７を開放方向へ付勢する付勢体の一例に対応し、その一端が連結部材１２４に連結されており、他端が本体ケース１０１の内側面に固定されている。また、レバー１１４の後端には、外部電送ピン１１６（後述する）をジャック１０５に挿入した際に、外部電送ピン１１６によって本体ケース１０１の内側方向に押される被操作部１１７が連結されている。
【００５８】
このような構成により、図２６に示すように、レバー１１３ならびに突起１１３ａは、コイルバネ１１５の圧縮方向へと引っ張られ、それに伴い、軸１１２を介して駆動部１１０の先端側が、図２２の状態（後方）に引っ張られる。その結果として、上述のように、シャッター１０７の凹部１０７ａとセンサ挿入口１０３が合致する。これにより、センサ１０２を接続端子１０６にスムーズに挿入することが出来るようになる。
【００５９】
尚、図２１に示すように、レバー１１３の上面にはレバー１１３のコイルバネ１１５側をセンサ挿入口１０３に対して直交し、本体ケース１０１の上面と平行な方向（横方向）に移動させるための突起１１３ａが設けられており、この突起１１３ａは本体ケース１０１に設けた案内溝２１１ａ内を移動するように構成されている。又、被操作部１１７の前側と後側には、横方向に被操作部１１７を案内するための案内部材１２５が設けられており、被操作部１１７が、センサ１０２の挿入方向に対して直行し、本体ケース１０１の上面と平行な方向（横方向）に移動するように構成されている。
【００６０】
[生体試料測定装置の動作]
さて、本実施の形態における円筒状のジャック１０５には、図２４に示すように、この生体試料測定装置の測定データを外部に電送するための外部電送ピン（操作体の一例）１１６が挿入される。
この時は、すでにセンサ１０２による血糖値の測定が終了しているので、ジャック１０５に外部電送ピン１１６を挿入する動作は、センサ挿入口１０３からセンサ１０２は抜き去られた状態で行われる。
【００６１】
図２４に示すように、この生体試料測定装置の測定データを外部に電送するための外部電送ピン（操作体の一例）１１６が、ジャック１０５に挿入されると、外部電送ピン１１６の先端によって、レバー１１４に連結した被操作部１１７が押される（矢印Ｓ参照）。この押された状態が、図２６に示す状態（図面の煩雑化を避けるために外部電送ピン１１６は図示せず）であり、この結果、レバー１１４は押され、それに伴い駆動部１１０が、図２６に示すように、前方に押される（矢印Ｔ参照）。この時、コイルバネ１１５は伸長する。
【００６２】
一方、外部電送ピン１１６がジャック１０５から引き抜かれ、外部伝送ピン１１６による被操作部１１７への付勢が解除された時には、コイルバネ１１５の付勢力により駆動部１１０は後方に引き戻される。
つまり、駆動部１１０の先端には傾斜部１１１が設けられており、シャッター１０７の後端には、傾斜部１２１が設けられているので、駆動部１１０が前方に押されると、傾斜部１１１によって、シャッター１０７は下方に板バネ１０９を圧縮しながら移動させられる。この結果として、この図２７に示すように、センサ挿入口１０３は、シャッター１０７によって閉じられる。尚、駆動部１１０の前後方向への移動量によって、シャッター１０７の開閉（上下）方向へのストロークが決定される。すなわち、外部電送ピン１１６をジャック１０５に挿入した際の駆動部１１０の前方への移動量が多くなるように構成すると、シャッター１０７の下方への移動量が多くなり、開閉方向へのストロークが長くなる。
【００６３】
また、図２４に示すように、ジャック１０５の本体ケース１０１の開口部１０５ａは、外部電送ピン１１６によって覆われた状態となる。すなわち、開口部１０５ａは、挿入された状態における外部電送ピン１１６の本体ケース１０１外に配置している部分１１６ａによって覆われる。
【００６４】
[作用効果]
すなわち、本実施の形態においては、本体ケース１０１内のセンサ挿入口１０３と接続端子１０６間に、シャッター１０７を設けたので、このセンサ挿入口１０３にセンサ１０２を挿入する時に、シャッター１０７に手が触れることを抑制でき、センサ挿入操作性が向上し、結論として、使い勝手がよくなる。
【００６５】
また、本実施の形態においては、本体ケース１０１内に設けたシャッター駆動機構１０８を駆動させる外部電送ピン（操作体の一例）１１６を、本体ケース１０１外から挿入するジャック（操作体挿入部の一例）１０５を設けたので、シャッター１０７を閉成する作業は、ジャック（操作体挿入部の一例）１０５に外部電送ピン（操作体の一例）１１６を挿入するだけで行うことができ、この点からも使い勝手が良くなる。
【００６６】
さらに、本実施の形態においては、ジャック（操作体挿入部の一例）１０５の本体ケース１０１外における開口部１０５ａは、このジャック（操作体挿入部の一例）１０５に挿入される外部電送ピン（操作体の一例）１１６の本体ケース１０１の外側に配置される部分１１６ａによって覆われる構成としたので、センサ挿入口１０３だけでなく、ジャック（操作体挿入部の一例）１０５も覆われた状態となる。この結果、本体ケース１０１を、消毒液で洗浄を行う時に、その消毒液が本体ケース１０１内に浸入することも抑制できる。
【００６７】
[他の実施の形態]
以上、本発明の一実施の形態について説明したが、本発明は上記実施の形態に限定されるものではなく、発明の要旨を変更しない範囲で種々の変更が可能である。
上記実施の形態１では、図６に示すように、被操作部１２は、開閉板１０に設けられていたが、この構成に限らなくても良く、軸部８、９等に設けられていても良い。
【００６８】
上記実施の形態２では、操作体の一例として外部電送ピン１１６が挙げられているが、外部電送ピン１１６に限らなくても良い。すなわち、外部電送の機能を有しておらず、被操作部１１７を押すことが可能な部材であればよく、更に開口部１０５ａを覆うことが可能な部材である方がより好ましい。又、操作体の開口部１０５ａを覆う部分に、開口部１０５ａの縁を封止するシール部材が設けられていても良い。シール部材を設けることで、消毒液などの浸入をより抑制することが出来る。
【００６９】
又、実施の形態２では、シャッター１０７の後端の傾斜部１２１が形成されていると説明したが、形成されていなくてもよい。ただし、駆動１１０及びシャッター１０７の移動をよりスムーズに行うために、傾斜部１２１が形成されていた方がより好ましい。
【産業上の利用可能性】
【００７０】
以上のように、生体試料測定装置は、センサを挿入する際の操作性を向上することが可能となり、使い勝手が良くなる効果を有し、たとえば血糖値などの生体試料の測定装置としての活用が期待される。
【符号の説明】
【００７１】
１  本体ケース
２  上ケース
３  下ケース
４  表示部
５  センサ挿入口
６  排出操作部
７  シャッター
８  軸部
９  軸部
１０  開閉板
１１  バネ
１１ａ  係合部
１１ｂ、１１ｄ、１１ｆ  直線部分
１１ｃ  コイルバネ部
１１ｅ  被係合部
１２  被操作部
１３  開閉部
１３ｂ  当接部
１４  軸支部
１５  軸支部
１６  突起
１７  突起
１８  係合部
１９  センサ
２０  接続端子
２１  レバー
２１ａ  レバー
２２  操作部
２３  操作部
５０  センサ挿入部
５１  スリット
７０  回動部
７０ａ  回動軸
１０１  本体ケース
１０２  センサ
１０２ａ  電極部
１０３  センサ挿入口
１０４  表示部
１０５  ジャック
１０５ａ  開口部
１０６  接続端子
１０７  シャッター
１０８  シャッター駆動機構
１０９  板バネ
１１０  駆動部
１１１  傾斜部
１１２  軸
１１３，１１４  レバー
１１３ａ  突起
１１５  コイルバネ
１１６  外部電送ピン（操作体の一例）
１１７  被操作部
１２０  突出部
１２１  傾斜部
１２２  支持部
１２３  開閉部
１２４  連結部材
１２５  案内部材
【図１】
0005855103.tif 000002
【図２】
0005855103.tif 000003
【図３】
0005855103.tif 000004
【図４】
0005855103.tif 000005
【図５】
0005855103.tif 000006
【図６】
0005855103.tif 000007
【図７】
0005855103.tif 000008
【図８】
0005855103.tif 000009
【図９】
0005855103.tif 000010
【図１０】
0005855103.tif 000011
【図１１】
0005855103.tif 000012
【図１２】
0005855103.tif 000013
【図１３】
0005855103.tif 000014
【図１４】
0005855103.tif 000015
【図１５】
0005855103.tif 000016
【図１６】
0005855103.tif 000017
【図１７】
0005855103.tif 000018
【図１８】
0005855103.tif 000019
【図１９】
0005855103.tif 000020
【図２０】
0005855103.tif 000021
【図２１】
0005855103.tif 000022
【図２２】
0005855103.tif 000023
【図２３】
0005855103.tif 000024
【図２４】
0005855103.tif 000025
【図２５】
0005855103.tif 000026
【図２６】
0005855103.tif 000027
【図２７】
0005855103.tif 000028